(57)【要約】本発明は、それぞれが細長い種子を少なくとも２個含む、細長い種子材料ペレットであって、ペレットが、基質（２）内に埋め込まれた種子（１）からなり、種子（１）の少なくとも８０％が、ペレットに対して実質的に平行な方向を向いており、基質（２）が、異なった組成の明確に異なる層を含んでいない、種子材料ペレットに関する。【選択図】図１ａ
2017516464.tif 000002
【特許請求の範囲】
【請求項１】
細長い種子を少なくとも２個含む、細長い種子材料ペレットであって、
前記ペレットが、基質（２）内に埋め込まれた前記種子（１）からなり、
前記種子（１）の少なくとも６０％が、前記ペレットに対して実質的に平行な方向を向いており、
前記基質（２）が、異なった組成の明確に異なる層を含んでいない、
種子材料ペレット。
【請求項２】
請求項１に記載の種子材料ペレットであって、２個ないし１５個の種子（１）を含む、種子材料ペレット。
【請求項３】
請求項１又は２に記載の種子材料ペレットであって、前記ペレットが、１０ｍｇないし５００ｍｇの範囲内、好ましくは５０ｍｇないし２５０ｍｇの範囲内、の総重量を有する、種子材料ペレット。
【請求項４】
請求項１〜３のうちいずれか一項に記載の種子材料ペレットであって、１個の種子（１）の重量が、２ｍｇないし５ｍｇの範囲内である、及び／又は前記ペレット内の種子（１）の重量が、４ｍｇないし７５ｍｇの範囲内である、種子材料ペレット。
【請求項５】
請求項１〜４のうちいずれか一項に記載の種子材料ペレットであって、前記ペレットの最大直径が、１ｍｍないし５ｍｍの範囲内、好ましくは１．５ｍｍないし２．５ｍｍの範囲内、である、種子材料ペレット。
【請求項６】
請求項１〜５のうちいずれか一項に記載の種子材料ペレットであって、前記ペレットの最大長さが、前記ペレットの前記最大直径より大きく、好ましくは６ｍｍないし２０ｍｍの範囲内である、種子材料ペレット。
【請求項７】
請求項１〜６のうちいずれか一項に記載の種子材料ペレットであって、前記基質（２）が、実質的に均一な組成である、種子材料ペレット。
【請求項８】
請求項７に記載の種子材料ペレットであって、種子（１）とは異なる球形の化合物（３）が、付加的に前記基質（２）に埋め込まれている、種子材料ペレット。
【請求項９】
請求項１〜８のうちいずれか一項に記載の種子材料ペレットであって、前記基質（２）が、水溶性有機ポリマー、特にポリビニルアルコール（ＰＶＡＬ）、多糖類、デキストリン、デンプン、ペクチン、セルロース、ヘミセルロース、メチルセルロース、オキシエチルセルロース、オキシプロピルセルロース、カルビキシメチルセルロース、ゼラチン、リグニン、植物ゴム、アルギン酸塩、キチン、タンパク質、無機結合剤、栽植土、粘土、及びベントナイトからなる群から、選択される、種子材料ペレット。
【請求項１０】
請求項８又は９に記載の種子材料ペレットであって、前記球形の化合物（３）が、好ましくは、天然の又は非天然の有機繊維、木質繊維、ココナツ繊維、ピート繊維、亜麻繊維、麻繊維、及び綿繊維からなる群から選択される、天然の又は非天然の有機繊維又は無機繊維、並びに／あるいは、除草剤、殺虫剤、殺菌剤、土壌化学的フミン、植物ホルモン、特に刺激用のジベレリン、アミノ酸、及び炭水化物、特にグルコース、リボース、ガラクトース、不飽和Ｃ１１〜Ｃ２８脂肪酸、Ｋイオン、Ｍｇイオン、Ｍｎイオン、Ｆｅイオン、及び／又はＣｕイオンを含むイオン性化合物、あるいは肥料からなる群から選択される化合物を含む、微粒子、からなる、種子材料ペレット。
【請求項１１】
請求項１〜１０のうちいずれか一項に記載の種子材料ペレットであって、前記基質（２）が、多孔質であって、特に、０．００１ないし０．９００、好ましくは０．０５０ないし０．３００の、基質（２）内の空洞の総容積を、空洞を含む基質（２）の総容積で除して算出される空隙率を有する、種子材料ペレット。
【請求項１２】
請求項１〜１１のうちいずれか一項に記載の種子材料ペレットであって、前記種子（１）を前記基質（２）内に埋め込み、前記種子（１）を含む前記基質（２）を形成して、前記ペレットを製造することで得られる、種子材料ペレット。
【請求項１３】
請求項１〜１２のうちいずれか一項に記載の種子材料ペレットであって、前記種子（１）が、細長いイネ科、カヤツリグサ科、及びイグサ科、特に多年性牧草、芝、小麦、ライ麦、オート麦、トウモロコシ、キビ、米、テフ、ソバ、及び大麦からなる群から、選択される植物の種子である、種子材料ペレット。
【請求項１４】
播種する方法であって、請求項１〜１３のうちいずれか一項に記載の種子材料ペレットを播種領域の土壌に散布し、任意選択で、前記種子材料ペレットを土壌内に押し込み、前記播種領域に散水する、方法。
【請求項１５】
播種領域内での播種のための、特に芝の播種のための、請求項１〜１３のうちいずれか一項に記載の種子材料ペレットの使用。
【発明の詳細な説明】
【技術分野】
【０００１】
本発明は、それぞれが少なくとも１個の細長い種子を含む、細長い種子材料ペレットに関し、該ペレットは、基質内に埋め込まれた該種子からなり、該種子の少なくとも８０％が、該ペレットに実質的に平行な方向に向いている。
【背景技術】
【０００２】
上記の種類の種子材料ペレットは、特許文献１から既知である。これまで知られているペレットは、各ペレット内に種子を１個のみ含み、その種子は、異なる組成の複数の層からなる基質で被覆されている。これらのペレットの製造方法は、複雑で、単一の種子を囲繞する基質の複数層構造のために、高コストである。さらに、ペレットの総重量は、どちらかといえば小さく、１個の種子の重量をわずかに上回る程度であるため、ペレットをまいた場所からペレットが容易に押し流され、一般に、他よりより少し低い僅かな部分にペレットの多数が流される。結果的に、そのような播種領域では著しく不均一な生育が見られる。これは、草本の追加が必要な場所に芝を植える際に又は既存の芝に追加する際に、特に望ましくない。
【０００３】
特許文献２は、それぞれが数個の種子を含む種子材料ペレットを開示しており、このペレットでは、１個の種子がコア基質内に埋め込まれており、他の種子は、コア基質とは異なるマントル基質内に埋め込まれており、該マントル基質は、１層を超える層をさらに含んでいる。このような種子材料ペレットも、製造が困難で、結果的に高製造コストとなる。
【０００４】
特許文献３は、種子材料ペレットを製造する装置を開示しており、得られるペレットは球形である。この様な装置は、製造中に細長い種子が損傷されるリスクが相当あるため、細長い種子には適していない。
【先行技術文献】
【特許文献】
【０００５】
【特許文献１】ドイツ特許出願公開第１０２，００５，０４０，８７３  Ａ１号明細書
【特許文献２】ドイツ特許出願公開第４，３０９，６７９  Ａ１号明細書
【特許文献３】ドイツ特許第８４９，１９５号明細書
【発明の概要】
【発明が解決しようとする課題】
【０００６】
容易に製造され、埋め込まれた種子における損傷がわずかであるか全くなく、播種領域に散水した後であっても均一な播種を示す、細長い種子を含む種子材料ペレットを、提供することが、本発明の技術的目的である。
【課題を解決するための手段】
【０００７】
この技術的目的を達成するため、本発明は、それぞれが少なくとも２個の細長い種子を含む、細長い種子材料ペレットを教示するが、これらのペレットは、基質内に埋め込まれた種子からなり、該種子の、少なくとも６０％、好ましくは少なくとも７０％、より好ましくは少なくとも８０％、最も好ましくは少なくとも９０％が、該ペレットに実質的に平行な方向に向いており、該基質は、異なる組成の明確に異なる層を有していない。
【０００８】
用語の「細長い」とは、そのペレット又は種子の最大長さである、第一の寸法をペレット及び種子が有することと、定義される。該ペレット及び該種子は、該第一の寸法より小さな、該第一の寸法に直角な第二の寸法を有している。該第一の寸法の該第二の寸法に対する比（これ以降、形態比と呼ぶ）は、一般に１．５：１から１５：１までの範囲、好ましくは３：１から１０：１までの範囲である。一般的な形態は、実質的に円筒形、実質的にたる状、又は実質的に回転楕円体（切断端縁を有する又は有しない）であることができる。円筒形以外の場合、その曲率は、該ペレット又は該種子の全長に渡って可変であり、特に正弦も可変である。変化する正弦を伴う曲率を有するペレットの一例は、ダンベル状の又はダンベル鎖状のペレットである。上記の場合、長手軸に直角な断面は、実質的に円形であるが、断面は、非円形、例えば実質的に楕円形であることもできる。いずれにせよ、該第一の寸法は、長手軸に平行な該最大長さである一方、該第二の寸法は、該長手軸に直角なすべての断面内の最大長さである。
【０００９】
用語の「埋め込まれた」とは、種子が基質材料に完全に囲繞されており、直接接触していることを、意味する。
【００１０】
用語の「実質的に平行」とは、該ペレット及び該種子の該長手軸が、実質的に平行であること、すなわち、これら二つの軸の互いに対する角度が、４５°未満であること、特に２０°未満であること、好ましくは１０°未満であることを、意味する。
【００１１】
該ペレットに対して実質的に平行な方向にある該種子の向きは、それぞれの長手軸が実質的に平行であることを、意味する。
【００１２】
本発明によれば、該種子が埋め込まれる基質は、組成において実質的に均質である  （とはいえ、種子以外の粒子が、それでもなお均質な実際の基質材料内にさらに埋め込まれることができる）。特に、該種子は、コア・マントル構造を構成する材料によって被覆されてはいない。
【発明の効果】
【００１３】
本発明による種子材料ペレットは、該基質が実質的に均質であるために、単純な製造方法で製造され、そのため、製造におけるコスト効率が高い。さらに、本発明の種子材料ペレットは、播種後の散水によってペレットのかなりの量が押し流されないことを確実にするのに十分な、総重量を有している。実際、本発明の種子材料ペレットは、ペレットの実際の製造方法又はペレットの主要な組成を大幅に変えることなく、いかなる所望される特定の総重量にすることができる。このため、最終的に、播種した領域が播種した種子からの植物の生育分布においてより良好な均一性を示すことが、確実となる。さらに、特定の播種領域の必要性に応じて、ペレットの形状を指定することができる。例えば、十分平坦な播種領域用に、ペレットの形態比は、比較的小さくすることができる、すなわち、１．５：１から５：１までの範囲にすることができる。土手や傾斜地のような平坦ではない播種領域においては、形態比が比較的高いことが好ましい、すなわち、例えば３：１から１０：１までの範囲であって、それによって、ペレットが転がり落ちる及び／又は水（降雨又は少雨）で洗い流されるリスクが、大幅に低減する。
【図面の簡単な説明】
【００１４】
【図１】図１は、本発明の種子材料ペレットを貫通する２種類の断面を示す（図１ａ、長手方向断面；図１ｂ、図１ａのＡ−Ａ面での断面）。
【図２】図２は、本発明の種子材料ペレットを製造する装置の上面図である。
【図３】図３は、図２の主題の側面図である。
【発明を実施するための形態】
【００１５】
以下に、好ましい実施形態を詳細に記載するが、これらに限定されるものではない。
【００１６】
好ましくは、一つのペレットには、２個ないし１５個の種子が含まれる。一つのペレットは、通常、１０ｍｇないし５００ｍｇの範囲内、好ましくは５０ｍｇないし２５０ｍｇの範囲内、の総重量を有する。１個の種子の重量は、２ｍｇないし５ｍｇの範囲内であることができる。一つのペレット内の（全ての）種子の重量は、通常、４ｍｇないし７５ｍｇの範囲内である。
【００１７】
ペレットの最大直径（第二の寸法）は、１ｍｍないし５ｍｍの範囲内、好ましくは１．５ｍｍないし２．５ｍｍの範囲内、であることができる。ペレットの最大長さ（第一の寸法）は、ペレットの最大直径より大きく、好ましくは６ｍｍないし２０ｍｍの範囲内である。
【００１８】
基質は、本質的に均質な組成である。これは、種子及び任意選択で他の粒子が埋め込まれる、基質材料が空間的組成において（本質的に）変化しないことを、意味する。
【００１９】
種子とは異なる微粒子状の化合物が、基質内に埋め込まれることができる。そのような化合物の例には、好ましくは、天然の又は非天然の有機繊維、木質繊維、ココナツ繊維、ピート繊維、亜麻繊維、麻繊維、及び綿繊維からなる群から選択される、有機繊維又は無機繊維、並びに／あるいは、除草剤、殺虫剤、殺菌剤、土壌化学的フミン、植物ホルモン、特に刺激用のジベレリン、アミノ酸、及び炭水化物、特にグルコース、リボース、ガラクトース、不飽和Ｃ１１〜Ｃ２８脂肪酸、Ｋイオン、Ｍｇイオン、Ｍｎイオン、Ｆｅイオン、及び／又はＣｕイオンを含むイオン性化合物、あるいは肥料からなる群から選択される化合物を含む、微粒子が、含まれる。
【００２０】
好ましくは、基質は、水が浸入して、迅速な基質の溶解又は分解が促進され得るように、多孔質である。その空隙率は、基質内の空洞の総容積を、空洞を含む基質の総容積で除して算出する際、特に０．００１ないし０．９００の範囲内、好ましくは０．０５０ないし０．３００の範囲内、であることができる。
【００２１】
一般に、種子材料の分野で有用ないかなる基質材料も使用可能である。好ましくは、基質は、水溶性有機ポリマー、特にポリビニルアルコール（ＰＶＡＬ）、多糖類、デキストリン、デンプン、ペクチン、セルロース、ヘミセルロース、メチルセルロース、オキシエチルセルロース、オキシプロピルセルロース、カルビキシメチルセルロース、ゼラチン、リグニン、植物ゴム、アルギン酸塩、キチン、タンパク質、無機結合剤、栽植土、粘土、及びベントナイトからなる群から、選択される。
【００２２】
一般に、本発明は、細長い全ての種類の種子に、有用である。好ましくは、該種子は、細長いイネ科、カヤツリグサ科、及びイグサ科、特に多年性牧草、芝、小麦、ライ麦、オート麦、トウモロコシ、キビ、米、テフ、アマランス、ソバ、及び大麦からなる群から、選択される。特に好ましいのは、芝の種子である。
【００２３】
本発明の種子材料ペレットは、該種子を基質内に埋め込み、種子を含む基質をペレットに成形することで、得ることができる。
【００２４】
本発明は、本発明の種子材料ペレットを播種領域の土壌上に散布し、任意選択で、該種子材料ペレットを土壌中に押し込み、播種領域に散水する、播種方法にも関する。
【００２５】
最終的に、本発明は、本発明の種子材料ペレットを用いて播種領域内に播種すること、特に芝を播種することに、関する。
【実施例】
【００２６】
以下において、
実施例を参照しながら、本発明をより詳細に説明するが、これらに限定されるものではない。
【実施例１】
【００２７】
第一の種子材料ペレット
【００２８】
第一の種子材料ペレット（図１参照）は、カルボキシセルロースからなる基質２中に埋め込まれた、３個の小麦種子１でできていた。さらに、その一方で、除草剤としてのＰｙｒｏｘｓｕｌａｍ  ６８及びＦｌｏｒａｓｕｌａｍ  ２３、殺菌剤としてのＴｒｉａｄｉｍｅｎｏｌを含む粒子である、微粒子３が、綿繊維である基質材料中に埋め込まれた。その組成を表１に示す。
【００２９】
表１
【表１】
2017516464.tif 000003
【実施例２】
【００３０】
第二の種子材料ペレット
【００３１】
第二の種子材料ペレットは、アルギン酸塩ゲルからなる基質２中に埋め込まれた、３個の小麦種子１でできていた。さらに、その一方で、除草剤としてのＰｙｒｏｘｓｕｌａｍ  ６８及びＦｌｏｒａｓｕｌａｍ  ２３、殺菌剤としてのＴｒｉａｄｉｍｅｎｏｌを含む粒子である、微粒子３が、綿繊維である基質材料中に埋め込まれた。その組成を表２に示す。
【００３２】
表２
【表２】
2017516464.tif 000004
【実施例３】
【００３３】
第三の種子材料ペレット
【００３４】
第三の種子材料ペレットは、水溶性ポリビニルアルコールからなる基質２中に埋め込まれた、５個の米種子１でできていた。さらに、その一方で、除草剤としてのベンスルフロンメチル、薬害緩和剤としてのジメピペレートを含む粒子である、微粒子３が、該基質材料中に埋め込まれた。その組成を表３に示す。
【００３５】
表３
【表３】
2017516464.tif 000005
【実施例４】
【００３６】
第四の種子材料ペレット
【００３７】
第四の種子材料ペレットは、ポリビニルアルコール（ＰＶＡＬ）と混合された栽植土からなる基質２中に埋め込まれた、３個の芝種子１でできていた。さらに、微粒子３が、ココナツ繊維である基質材料中に埋め込まれた。その組成を表４に示す。
【００３８】
表４
【表４】
2017516464.tif 000006
【実施例５】
【００３９】
第五の種子材料ペレット
【００４０】
第五の種子材料ペレットは、粘土からなる基質２中に埋め込まれた、２個の芝種子１でできていた。その組成を表５に示す。
【００４１】
表５
【表５】
2017516464.tif 000007
【実施例６】
【００４２】
第六の種子材料ペレット
【００４３】
第六の種子材料ペレットは、ゼラチンからなる基質２中に埋め込まれた、５個のライ麦種子１でできていた。さらに、除草剤としてのＰｙｒｏｘｓｕｌａｍ  ６８及びＦｌｏｒａｓｕｌａｍ  ２３、殺菌剤としてのＴｒｉａｄｉｍｅｎｏｌを含む粒子である、微粒子３が、該基質材料中に埋め込まれた。その組成を表６に示す。
【００４４】
表６
【表６】
2017516464.tif 000008
【実施例７】
【００４５】
第七の種子材料ペレット
【００４６】
第七の種子材料ペレットは、５０ｍｇのココナツ繊維並びに、尿素及び硝酸性窒素を含む総重量が２０ｍｇの一般的な芝肥料を、付加的に含む、実質的に実施例５に記載された種子材料ペレットであった。
【実施例８】
【００４７】
第八の種子材料ペレット
【００４８】
第八の種子材料ペレットは、ココナツ繊維を含まない、実質的に実施例７に記載された種子材料ペレットであった。
【実施例９】
【００４９】
本発明の種子材料ペレットを製造するための、装置及び方法
【００５０】
図２及び図３は、本発明の種子材料ペレットを製造するための装置を、示している。この装置は、ベルトコンベヤー４を有する。平板５が、ベルトコンベヤー４の上部に配置されている。この平板は、第一の領域５ａ及び第二の領域５ｂからなる。第一の領域５ａは、第一の領域５ａとベルトコンベヤー４との間の空間が、ベルトコンベヤー表面の進行方向において狭くなるように、ベルトコンベヤー４の表面に対して３°の角度で立ち上がっている（図３参照）。対照的に、第二の領域５ｂは、ベルトコンベヤー４の表面に対して実質的に平行である。第二の領域５ｂは、互いに接近して先端８を形成する、側端６及び７を有している（図２参照）。
【００５１】
本発明のペレットは、以下のように製造された。まず、種子、基質材料、及び任意選択で他の微粒子を、基質／種子の重量比が例えば約８となるように、互いに混合した。次いで、この混合物から本分野で公知の方法で、球形のペレットを形成したが、球状のペレットはそれぞれ、約１ｇないし５ｇの総重量を有し、約５０個の種子を含んでいた。これらの球形のペレット内で、これらの種子は、好ましい向きになっていなかった。
【００５２】
これらの球形のペレットを本発明のペレットに変形させるため、これらの球形のペレットを、図２及び３の装置の、平板５のベルトコンベヤー４に対する間隔が最大である、位置に供給した。ベルトコンベヤー４は、球形のペレットを、平板５の第二の領域５ｂへの方向に運び、そうすることで、ペレットが、平板５の第一の領域５ａとベルトコンベヤー４との間で次第に圧迫され、球形のペレットが円筒形に変形された。基質材料が延性を有するため、このような変形が可能であった。平板５の第一の領域５ａとベルトコンベヤー４との間の進路に沿って、円筒形のペレットの直径は低下し、円筒形のペレットの長さは増大した。この圧延工程の間に、ペレットの形状が球形から円筒形に変形したばかりではなく、同時にペレット内の細長い種子は、ペレットの円柱軸に実質的に平行に向けられた。特定の理論に拘束されることを望むものではないが、種子がこのように配向する理由は、平板５とベルトコンベヤー４との間で回転しかつ輸送される状態で、横方向の力が基質内の種子に作用するため、回転する種子が、ペレットの円柱軸である、ペレットの回転軸に実質的に平行に向く、ということである。上記の装置を用いる方法の大きな利点は、種子が基質内で非常にゆっくりかつ注意深く回転されて円柱軸を向くため、種子が使用不能となる不可逆的損傷を回避できることである。円筒形のペレットが平板５の第一の領域５ａとベルトコンベヤー４との間の空間を離れると、円筒形のペレットは、平板５の第二の領域５ｂとベルトコンベヤー４との間の空間に入った。第二の領域５ｂの側端６及び７が分離要素として作用するため、第一の領域５ａから来た円筒形のペレットは、実施例８等に示されるような、数多くのより短い円筒形のペレットに分割された。該装置から右側に出た円筒形のペレットは、本発明の最終段階のペレットであった、通常、このペレットを出荷する前に、乾燥工程を入れることができる。
【図１ａ】
2017516464.tif 000009
【図１ｂ】
2017516464.tif 000010
【図２】
2017516464.tif 000011
【図３】
2017516464.tif 000012
【国際調査報告】
2017516464.tif 000013
2017516464.tif 000014